(57)【特許請求の範囲】
【請求項１】
情報携帯端末装置と情報管理装置とを備える情報管理システムであって、
前記情報携帯端末装置は、
ＳＩＭカードと、
自端末の外部にあってＲＦＩＤタグを備える装置に記憶されている前記ＲＦＩＤタグに固有の識別情報を読み出す読取部と、
前記読み出された固有の識別情報と自装置の外部から入力されたライセンス識別情報とライセンスキーを示す情報と自装置の製造番号を示す情報と前記ＳＩＭカードに固有のカード識別情報とを前記情報管理装置に送信する第１の通信部と、
を備え、
前記情報管理装置は、
前記第１の通信部により送信された固有の識別情報と前記ライセンス識別情報と前記ライセンスキーを示す情報と前記製造番号を示す情報と前記カード識別情報とを受信する第２の通信部と、
ライセンス識別情報とライセンスキーを示す情報と製造番号を示す情報とカード識別情報とが関係付けられて記憶されているライセンス記憶部と、
前記第２の通信部により受信されたライセンスキーを示す情報と、前記ライセンス記憶部に記憶されているライセンスキーを示す情報であって前記第２の通信部により受信されたライセンス識別情報に対応するライセンスキーを示す情報とを照合し、前記第２の通信部により受信された製造番号を示す情報と、前記ライセンス記憶部に記憶されている製造番号を示す情報であって前記第２の通信部により受信されたライセンス識別情報に対応する製造番号を示す情報を示す情報とを照合し、前記第２の通信部により受信されたカード識別情報と、前記ライセンス記憶部に記憶されているカード識別情報であって前記第２の通信部により受信されたライセンス識別情報に対応するカード識別情報を示す情報とを照合し、ライセンスキーと製造番号とカード識別情報との全てが同一か否か判定する判定部と、
前記固有の識別情報と前記ＲＦＩＤタグの属性を示す属性情報とが関係付けられて記憶されている属性情報記憶部と、
前記第２の通信部により受信された前記固有の識別情報に対応する属性情報を前記属性情報記憶部から読み出す属性情報読出部と、
を備えることを特徴とする情報管理システム。
【請求項２】
情報携帯端末装置と認証装置と情報管理装置とを備える情報管理システムであって、
前記情報携帯端末装置は、
ＳＩＭカードと、
自端末の外部にあってＲＦＩＤタグを備える装置に記憶されている前記ＲＦＩＤタグに固有の識別情報を読み出す読取部と、
前記読み出された固有の識別情報と自装置の外部から入力されたライセンス識別情報とライセンスキーを示す情報と自装置の製造番号を示す情報と前記ＳＩＭカードに固有のカード識別情報とを前記認証装置に送信する第１の通信部と、
を備え、
前記認証装置は、
前記第１の通信部により送信された固有の識別情報と前記ライセンス識別情報と前記ライセンスキーを示す情報と前記製造番号を示す情報と前記カード識別情報とを受信する第３の通信部と、
ライセンス識別情報とライセンスキーを示す情報と製造番号を示す情報とカード識別情報とが関係付けられて記憶されているライセンス記憶部と、
前記第３の通信部により受信されたライセンスキーを示す情報と、前記ライセンス記憶部に記憶されているライセンスキーを示す情報であって前記第３の通信部により受信されたライセンス識別情報に対応するライセンスキーを示す情報とを照合し、前記第３の通信部により受信された製造番号を示す情報と、前記ライセンス記憶部に記憶されている製造番号を示す情報であって前記第３の通信部により受信されたライセンス識別情報に対応する製造番号を示す情報を示す情報とを照合し、前記第３の通信部により受信されたカード識別情報と、前記ライセンス記憶部に記憶されているカード識別情報であって前記第３の通信部により受信されたライセンス識別情報に対応するカード識別情報を示す情報とを照合し、ライセンスキーと製造番号とカード識別情報との全てが同一か否か判定する判定部と、
を備え、
前記第３の通信部は、前記判定部により同一と判定された場合、前記情報携帯端末装置から送信された前記固有の識別情報を前記情報管理装置に送信し、
前記情報管理装置は、
前記第３の通信部により送信された固有の識別情報を受信する第２の通信部と、
前記固有の識別情報と前記ＲＦＩＤタグの属性を示す属性情報とが関係付けられて記憶されている属性情報記憶部と、
前記認証装置から送信された前記固有の識別情報に対応する属性情報を前記属性情報記憶部から読み出す属性情報読出部と、
を備えることを特徴とする情報管理システム。
【発明の詳細な説明】
【技術分野】
【０００１】
本発明は、情報管理システム及び情報管理装置に関する。
【背景技術】
【０００２】
従来、派遣社員又は派遣スタッフの派遣先での出退勤の状況や作業工数を管理するための勤怠管理システムが提案されてきた。例えば、特許文献１では、カードＩＤと派遣先識別コードを備えたＩＣカードやＲＦＩＤ（Ｒａｄｉｏ  Ｆｒｅｑｕｅｎｃｙ  ＩＤｅｎｔｉｆｉｃａｔｉｏｎ）タグ等のＩＤ識別媒体を用いて、派遣社員又は派遣スタッフの派遣先での出退勤の状況や作業工数を管理することが開示されている。
【０００３】
具体的には、特許文献１では、派遣社員又は派遣スタッフなどから成る就業者を派遣した派遣事業者が、派遣先での上記就業者の勤怠状況や作業工数などの管理を適正に行うための派遣業務用管理システムであって、上記就業者の派遣を受入れる派遣先が、少なくともカードＩＤと派遣先識別コードを備えたＩＣカードやＲＦＩＤタグ等のＩＤ識別媒体を所持し、上記派遣社員又は派遣スタッフなどから成る就業者の各々は、少なくともネットワーク接続可能な無線通信機能と、ＩＤ識別媒体読取り機能と、上記就業者自身のＩＤが設定登録済みの記憶装置、及び、打刻処理アプリケーションソフトが実装された携帯電話機等の携帯端末を所持して、上記ＩＤ識別媒体の読取りによって上記の携帯端末を用いて上記就業者による就業開始或いは作業開始の打刻処理と、就業終了或いは作業終了の打刻処理を行って、これ等の打刻情報を上記ネットワーク接続可能な無線通信機能を介して予め設定されたサーバーや通信端末に送信するように構成することが開示されている。
【０００４】
さらに、上記派遣業務用管理システムは、上記就業者保有の携帯端末から送信されて来た上記打刻情報を受信することができる利害関係の無い第三者のデータセンターを設けて、このデータセンターには、少なくとも送信されて来た打刻情報を打刻情報データベースに記録する打刻情報受信・記録機能と、上記派遣事業者の通信端末から受信した指定条件に従って、上記の打刻情報データベースより該当の打刻情報データを抽出して実績データファイルを作成する実績データファイル作成機能と、この作成した実績データファイルを上記派遣事業者の通信端末に送信する実績データファイル送信機能と、が具備されていることが開示されている。
【先行技術文献】
【特許文献】
【０００５】
【特許文献１】特開２００８−３１０４７４号公報
【発明の概要】
【発明が解決しようとする課題】
【０００６】
しかしながら、ＲＦＩＤタグを１つ紛失した場合に、その１つだけ再発行するには、ＲＦＩＤタグが備える記憶部に再度派遣先識別コードなどの情報を記憶させなければならず、再発行に時間がかかり、またその処理を行う人に支払う費用がかかるというという問題があった。また、ＲＦＩＤタグが備える記憶部に再度派遣先識別コードなどの情報を記憶させるには、専用のソフトウェアが必要であり、コストがかかるという問題があった。
【０００７】
そこで本発明は、上記問題に鑑みてなされたものであり、ＲＦＩＤタグにＲＦＩＤタグに固有の識別情報以外のデータを保有させずに、情報を管理することを可能とする情報管理システムを提供することを課題とする。
【課題を解決するための手段】
【０００８】
上記の課題を解決するために、本発明の一態様である情報管理システムは、情報携帯端末装置と情報管理装置とを備える情報管理システムであって、前記情報携帯端末装置は、ＳＩＭカードと、自端末の外部にあってＲＦＩＤタグを備える装置に記憶されている前記ＲＦＩＤタグに固有の識別情報を読み出す読取部と、前記読み出された固有の識別情報と自装置の外部から入力されたライセンス識別情報とライセンスキーを示す情報と自装置の製造番号を示す情報と前記ＳＩＭカードに固有のカード識別情報とを前記情報管理装置に送信する第１の通信部と、を備え、前記情報管理装置は、前記第１の通信部により送信された固有の識別情報と前記ライセンス識別情報と前記ライセンスキーを示す情報と前記製造番号を示す情報と前記カード識別情報とを受信する第２の通信部と、ライセンス識別情報とライセンスキーを示す情報と製造番号を示す情報とカード識別情報とが関係付けられて記憶されているライセンス記憶部と、前記第２の通信部により受信されたライセンスキーを示す情報と、前記ライセンス記憶部に記憶されているライセンスキーを示す情報であって前記第２の通信部により受信されたライセンス識別情報に対応するライセンスキーを示す情報とを照合し、前記第２の通信部により受信された製造番号を示す情報と、前記ライセンス記憶部に記憶されている製造番号を示す情報であって前記第２の通信部により受信されたライセンス識別情報に対応する製造番号を示す情報を示す情報とを照合し、前記第２の通信部により受信されたカード識別情報と、前記ライセンス記憶部に記憶されているカード識別情報であって前記第２の通信部により受信されたライセンス識別情報に対応するカード識別情報を示す情報とを照合し、ライセンスキーと製造番号とカード識別情報との全てが同一か否か判定する判定部と、前記固有の識別情報と前記ＲＦＩＤタグの属性を示す属性情報とが関係付けられて記憶されている属性情報記憶部と、前記第２の通信部により受信された前記固有の識別情報に対応する属性情報を前記属性情報記憶部から読み出す属性情報読出部と、を備えることを特徴とする。
【０００９】
また、本発明の一態様である情報管理システムは、情報携帯端末装置と認証装置と情報管理装置とを備える情報管理システムであって、前記情報携帯端末装置は、ＳＩＭカードと、自端末の外部にあってＲＦＩＤタグを備える装置に記憶されている前記ＲＦＩＤタグに固有の識別情報を読み出す読取部と、前記読み出された固有の識別情報と自装置の外部から入力されたライセンス識別情報とライセンスキーを示す情報と自装置の製造番号を示す情報と前記ＳＩＭカードに固有のカード識別情報とを前記認証装置に送信する第１の通信部と、を備え、前記認証装置は、前記第１の通信部により送信された固有の識別情報と前記ライセンス識別情報と前記ライセンスキーを示す情報と前記製造番号を示す情報と前記カード識別情報とを受信する第３の通信部と、ライセンス識別情報とライセンスキーを示す情報と製造番号を示す情報とカード識別情報とが関係付けられて記憶されているライセンス記憶部と、前記第３の通信部により受信されたライセンスキーを示す情報と、前記ライセンス記憶部に記憶されているライセンスキーを示す情報であって前記第３の通信部により受信されたライセンス識別情報に対応するライセンスキーを示す情報とを照合し、前記第３の通信部により受信された製造番号を示す情報と、前記ライセンス記憶部に記憶されている製造番号を示す情報であって前記第３の通信部により受信されたライセンス識別情報に対応する製造番号を示す情報を示す情報とを照合し、前記第３の通信部により受信されたカード識別情報と、前記ライセンス記憶部に記憶されているカード識別情報であって前記第３の通信部により受信されたライセンス識別情報に対応するカード識別情報を示す情報とを照合し、ライセンスキーと製造番号とカード識別情報との全てが同一か否か判定する判定部と、を備え、前記第３の通信部は、前記判定部により同一と判定された場合、前記情報携帯端末装置から送信された前記固有の識別情報を前記情報管理装置に送信し、前記情報管理装置は、前記第３の通信部により送信された固有の識別情報を受信する第２の通信部と、前記固有の識別情報と前記ＲＦＩＤタグの属性を示す属性情報とが関係付けられて記憶されている属性情報記憶部と、前記認証装置から送信された前記固有の識別情報に対応する属性情報を前記属性情報記憶部から読み出す属性情報読出部と、を備えることを特徴とする。
【発明の効果】
【００１０】
本発明の情報管理システムによれば、ＲＦＩＤタグに追加のデータを保存させずに情報を管理することができる。これにより、ＲＦＩＤタグが紛失されても、上記ＲＦＩＤタグを再発行する際に、ＲＦＩＤタグに追加のデータを保存する必要がないので、ＲＦＩＤタグの再発行にかかる時間を短縮し、ＲＦＩＤタグの再発行にかかる人件費を削減することができる。
【図面の簡単な説明】
【００１１】
【図１】第１の実施形態における情報管理システム１の機能ブロック図である。
【図２】属性情報記憶部２０１に記憶されているテーブルＴ１の一例である。
【図３】制御部２０３により管理用記憶部２０２に記憶されるテーブルＴ２の一例である。
【図４】管理用記憶部２０２に記憶されているテーブルＴ３の一例である。
【図５】第１の実施形態における情報管理システム１の処理の流れを示したシーケンス図である。
【図６】第２の実施形態における情報管理システム２の機能ブロック図である。
【図７】情報管理装置２００ｂを所有している勤怠管理システム事業者が従業員に送付するメールの内容の一例である。
【図８】第２の実施形態における打刻処理アプリケーションソフトのダウンロードとスタッフ識別情報ＩＤｓの登録の処理の流れを示したシーケンス図である。
【図９】第２の実施形態における勤怠管理運用時の処理の流れを示したシーケンス図である。
【発明を実施するための形態】
【００１２】
以下、本発明の実施形態について、図面を参照して詳細に説明する。本発明の実施形態では、情報管理システムの１実施形態として、従業員の勤怠管理システムについて説明する。
【００１３】
＜第１の実施形態＞
図１は、第１の実施形態における情報管理システム１の機能ブロック図である。情報管理システム１は、ＲＦＩＤタグ１０と、情報携帯端末装置１００と、情報管理装置２００とを備える。
【００１４】
まず、第１の実施形態における情報管理システム１の処理の概要について説明する。
情報携帯端末装置１００は、従業員の勤務先毎に打刻種別ｓ（例えば、出勤、退勤、外出、戻り）の数（例えば、先の例では４つ）分設置されているＲＦＩＤタグ（例えば、ＩＣチップ）毎に異なる固有の識別情報（以下、タグ識別情報と称する）ＩＤｍのみが記憶されているＲＦＩＤタグ１０から、そのＲＦＩＤタグ１０毎に異なる固有の情報であるタグ識別情報ＩＤｍを読み取り、読み取ったＲＦＩＤタグ１０毎に異なる固有の情報であるタグ識別情報ＩＤｍを、従業員を識別するスタッフ識別情報ＩＤｓおよび打刻日時を示す情報とともに、情報管理装置２００に送信する。
【００１５】
情報管理装置２００は、そのＲＦＩＤタグ１０毎に異なる固有の情報であるタグ識別情報ＩＤｍを受信し、そのＲＦＩＤタグ１０毎に異なる固有の情報であるタグ識別情報ＩＤｍに対応する打刻種別ｓを示す情報を属性情報記憶部２０１から読み出す。そして、情報管理装置２００は、受信したスタッフ識別情報ＩＤｓおよび打刻日時を示す情報と、読み出された打刻種別ｓを示す情報と、を関連付けて管理用記憶部２０２に記憶させる。これにより、情報管理システム１は、情報管理装置２００にＲＦＩＤタグ１０毎に異なる固有の情報であるタグ識別情報ＩＤｍと打刻種別ｓを示す情報とを関連付けて記憶することができるので、ＲＦＩＤタグ１０（例えば、ＩＣチップ）に記憶されているＲＦＩＤタグ１０毎に異なる固有の情報であるタグ識別情報ＩＤｍのみで、従業員の勤怠を管理することができる。
【００１６】
続いて、第１の実施形態における情報管理システム１の各装置および各装置が備える各部の処理の詳細について説明する。
情報携帯端末装置１００は、従業員情報記憶部１０１と、読取部１０２と、制御部１０３と、第１の通信部１０４と、表示部１０５と、入力部１０６とを備える。情報携帯端末装置１００は、例えば、携帯端末、スマートフォン、タブレットまたはリーダライタと接続されているコンピュータである。
【００１７】
なお、情報携帯端末装置１００は、上記に限らず、外部にあるＲＦＩＤタグ１０からそのＲＦＩＤタグ１０毎に異なる固有の情報であるタグ識別情報ＩＤｍを読み取る読取部１０２と、スタッフ識別情報ＩＤｓを保持する従業員情報記憶部１０１と、第１の通信部１０４とを備える装置であればよい。
【００１８】
従業員情報記憶部１０１は、その情報携帯端末装置１００に割り当てられている従業員を識別するスタッフ識別情報ＩＤｓが１つ記憶されている。また、従業員情報記憶部１０１には、制御部１０３が実行する打刻処理アプリケーションソフトのプログラムを含む情報が記憶されている。
【００１９】
読取部１０２は、制御部１０３の制御により、自端末の外部にあるＲＦＩＤタグ１０に記憶されているＲＦＩＤタグ１０毎に異なる固有の情報であるタグ識別情報ＩＤｍを読み取り、読み取ったＲＦＩＤタグ１０毎に異なる固有の情報であるタグ識別情報ＩＤｍを第１の通信部１０４に出力する。ここで、ＲＦＩＤタグ１０毎に異なる固有の情報であるタグ識別情報ＩＤｍは、ＲＦＩＤタグに固有のコードであって、ＲＦＩＤタグ製造時に記録され、書き換え不可能な固定データとなっている。読取部１０２は、例えば、ＲＦＩＤリーダライタを備える。
【００２０】
入力部１０６は、例えば、数字キーまたはタッチパネルなどのユーザインターフェースである。入力部１０６は、自端末のユーザによって入力されるライセンスＩＤ（ライセンス識別情報Ｌｉｄ）を示す情報とライセンスキー（Ｌｋｅｙ）を示す情報を受け付ける。
従業員情報記憶部１０１には、自装置の製造番号を示す情報ＩＭＥＩと、ＳＩＭ（Ｓｕｂｓｃｒｉｂｅｒ  Ｉｄｅｎｔｉｔｙ  Ｍｏｄｕｌｅ）カードの固有の番号を示す情報ＩＭＳＩとが記憶されている。制御部１０３は、従業員情報記憶部１０１から自装置の製造番号を示す情報ＩＭＥＩと、ＳＩＭカードの固有の番号を示す情報ＩＭＳＩとを読み出す。
【００２１】
制御部１０３は、入力部１０６により受け付けられたライセンスＩＤ（ライセンス識別情報Ｌｉｄ）を示す情報とライセンスキー（Ｌｋｅｙ）を示す情報とを、従業員情報記憶部１０１から読み出された自装置の製造番号を示す情報ＩＭＥＩとＳＩＭカードの固有の番号を示す情報ＩＭＳＩとともに第１の通信部１０４に出力する。
【００２２】
制御部１０３は、従業員情報記憶部１０１に記憶されているスタッフ識別情報ＩＤｓを読み出し、読み出したスタッフ識別情報ＩＤｓを第１の通信部１０４に出力する。
また、制御部１０３は、読取部１０２を制御して、自装置の外部にあるＲＦＩＤタグ１０からＲＦＩＤタグ１０毎に異なる固有の情報であるタグ識別情報ＩＤｍを読み取らせ、読み取られたＲＦＩＤタグ１０毎に異なる固有の情報であるタグ識別情報ＩＤｍを第１の通信部１０４に出力させる。
また、制御部１０３は、読取部１０２によりＲＦＩＤタグ１０からＲＦＩＤタグ１０毎に異なる固有の情報であるタグ識別情報ＩＤｍが読み取られた日時である端末打刻日時Ｔｔを示す情報を第１の通信部１０４に出力する。
【００２３】
また、制御部１０３は、第１の通信部１０４により受信された情報管理装置２００により承認された打刻日時である承認打刻日時Ｔａを示す情報と、打刻結果Ｆｌａｇ（例えば、０で打刻失敗、１で打刻成功）を示す情報とを用いて、当該承認された打刻日時と、打刻が成功か失敗かを示す情報（例えば、情報管理装置２００により打刻日時が記憶されたとき、すなわち打刻が成功したときには、「打刻成功」という文字）を表示部１０５に表示させる。
また、制御部１０３は、第１の通信部１０４により受信されたメッセージＭｅｓ（例えば、「本日は残業禁止」といった従業員に注意を喚起するメッセージ）を示す情報を表示部１０５に表示させる。
【００２４】
第１の通信部１０４は、外部との間で有線方式及び無線方式のうち少なくとも一方の方式によって情報の通信が可能となるように構成されている。
第１の通信部１０４は、制御部１０３の制御により、ライセンスＩＤ（ライセンス識別情報Ｌｉｄ）を示す情報とライセンスキー（Ｌｋｅｙ）を示す情報と、製造番号を示す情報ＩＭＥＩと、ＳＩＭカードの固有の番号を示す情報ＩＭＳＩとを情報管理装置２００の後述する第２の通信部２０４に出力する。
また、第１の通信部１０４は、制御部１０３の制御により、従業員情報記憶部１０１から読み出されたスタッフ識別情報ＩＤｓと、読取部１０２から入力されたＲＦＩＤタグ１０毎に異なる固有の情報であるタグ識別情報ＩＤｍと、端末打刻日時Ｔｔを示す情報とを情報管理装置２００の後述する第２の通信部２０４に出力する。
【００２５】
また、第１の通信部１０４は、第２の通信部２０４から打刻種別ｓを示す情報と、情報管理装置２００により承認された打刻日時である承認打刻日時Ｔａを示す情報と、打刻結果Ｆｌａｇ（例えば、０で打刻失敗、１で打刻成功）を示す情報と、メッセージＭｅｓ（例えば、「本日は残業禁止」といった従業員に注意を喚起するメッセージ）を示す情報とを受信する。
【００２６】
表示部１０５は、例えば、液晶ディスプレイを備える。表示部１０５は、制御部１０３により、第１の通信部１０４により受信された情報に基づいて、承認打刻日時Ｔａを示す情報と、打刻結果Ｆｌａｇを示す情報と、メッセージＭｅｓを示す情報を表示する。
【００２７】
続いて、情報管理装置２００について説明する。情報管理装置２００は、属性情報記憶部２０１と、管理用記憶部２０２と、制御部２０３と、第２の通信部２０４と、属性情報読出部２０５と、ライセンス記憶部２０６と、判定部２０７とを備える。
属性情報記憶部２０１には、ＲＦＩＤタグ１０毎に異なる固有の情報であるタグ識別情報ＩＤｍと当該ＲＦＩＤタグの属性を示す属性情報とが関係付けられて記憶されている。
【００２８】
図２は、属性情報記憶部２０１に記憶されているテーブルＴ１の一例である。同図のテーブルＴ１において、ＲＦＩＤタグ１０毎に異なる固有の情報であるタグ識別情報ＩＤｍと、打刻種別ｓを示す情報と、勤務先情報ｗとが関連付けられている。勤務先毎に、「出勤」、「退勤」、「外出」、「戻り」の４つの打刻種別ｓが存在する。例えば、ＲＦＩＤタグ１０毎に異なる固有の情報であるタグ識別情報ＩＤｍが０００１の場合、打刻種別ｓは「出勤」であり、勤務先情報ｗは「会社１」である。このように、ＲＦＩＤタグ１０毎に異なる固有の情報であるタグ識別情報ＩＤｍに対して、打刻種別ｓを示す情報と、勤務先情報ｗとの組み合わせとが、１対１に対応している。
これにより、属性情報読出部２０５は、ＲＦＩＤタグ１０毎に異なる固有の情報であるタグ識別情報ＩＤｍをキーとして、打刻種別ｓを示す情報と勤務先情報ｗとの組み合わせを読み出すことができる。
【００２９】
図１に戻って、管理用記憶部２０２には、図３のテーブルＴ２に示されるように、制御部２０３により、端末打刻日時Ｔｔを示す情報と、スタッフ識別情報ＩＤｓと、打刻種別ｓを示す情報と、勤務先情報ｗとが関連付けられて記憶される。また、管理用記憶部２０２には、メッセージＭｅｓ（例えば、「本日は残業禁止」といった従業員に注意を喚起するメッセージ）を示す情報が記憶されている。
【００３０】
図３は、制御部２０３により管理用記憶部２０２に記憶されるテーブルＴ２の一例である。同図のテーブルＴ２において、端末打刻日時Ｔｔを示す情報と、スタッフ識別情報ＩＤｓと、打刻種別ｓを示す情報と、勤務先情報ｗとが関連付けられている。例えば、端末打刻日時Ｔｔが「２０１１／２／１  ８：３０」で、スタッフ識別情報ＩＤｓが「Ａ０００１」の場合、打刻種別ｓは「出勤」で、勤務先情報ｗは、「会社１」となっている。これにより、情報管理装置２００は、端末打刻日時Ｔｔとスタッフ識別情報ＩＤｓと打刻種別ｓを示す情報と勤務先情報ｗとを関連付けて管理することができる。
【００３１】
図１に戻って、管理用記憶部２０２には、スタッフ識別情報ＩＤｓと、そのスタッフの名前を示す情報とが関連付けられて記憶されている。図４は、管理用記憶部２０２に記憶されているテーブルＴ３の一例である。同図のテーブルＴ３において、スタッフ識別情報ＩＤｓと、スタッフの名前を示す情報とが関連付けられている。例えば、スタッフ識別情報ＩＤｓが「Ａ０００１」の場合、スタッフの名前を示す情報は「□□太郎」となっている。これにより、情報管理装置２００は、スタッフ識別情報ＩＤｓと従業員の名前とを１対１に関連付けて管理することができる。
【００３２】
図１に戻って、制御部２０３は第２の通信部２０４により受信されたＲＦＩＤタグ１０毎に異なる固有の情報であるタグ識別情報ＩＤｍを第２の通信部２０４から属性情報読出部２０５に出力するように制御する。
属性情報読出部２０５は、第２の通信部２０４から入力されたＲＦＩＤタグ１０毎に異なる固有の情報であるタグ識別情報ＩＤｍをキーとして、当該ＲＦＩＤタグ１０毎に異なる固有の情報であるタグ識別情報ＩＤｍに関連付けられた打刻種別ｓを示す情報と勤務先情報ｗとを属性情報記憶部２０１から読み出す。
【００３３】
また、制御部２０３は属性情報読出部２０５により読み出された打刻種別ｓを示す情報および勤務先情報ｗと、第２の通信部２０４により受信されたスタッフ識別情報ＩＤｓおよび端末打刻日時Ｔｔを示す情報とを関連付けて管理用記憶部２０２に記憶させる。
【００３４】
また、制御部２０３は、管理用記憶部２０２に上記情報を記憶させた場合、打刻結果Ｆｌａｇ（例えば、０で打刻失敗、１で打刻成功）を示す情報を１に設定し、承認打刻日時Ｔａを示す情報を管理用記憶部２０２に記憶させた日時に設定する。また、制御部２０３は、メッセージＭｅｓ（例えば、「本日は残業禁止」といった従業員に注意を喚起するメッセージ）を示す情報を管理用記憶部２０２から読み出す。
【００３５】
また、制御部２０３は、属性情報読出部２０５により読み出された打刻種別ｓを示す情報と設定した承認打刻日時Ｔａを示す情報と、設定した打刻結果Ｆｌａｇ（例えば、０で打刻失敗、１で打刻成功）を示す情報と、管理用記憶部２０２から読み出されたメッセージＭｅｓ（例えば、「本日は残業禁止」といった従業員に注意を喚起するメッセージ）を示す情報とを第２の通信部２０４に出力する。そして、制御部２０３は、上記の情報を第２の通信部２０４から情報携帯端末装置１００の第１の通信部１０４に送信するよう制御する。
【００３６】
第２の通信部２０４は、外部との間で有線方式及び無線方式のうち少なくとも一方の方式によって情報の通信が可能となるように構成されている。
第２の通信部２０４は、第１の通信部１０４から送信されたＲＦＩＤタグ１０毎に異なる固有の情報であるタグ識別情報ＩＤｍと、スタッフ識別情報ＩＤｓと、端末打刻日時Ｔｔを示す情報を受信する。第２の通信部２０４は、制御部２０３の制御により、ＲＦＩＤタグ１０毎に異なる固有の情報であるタグ識別情報ＩＤｍを属性情報読出部２０５に出力する。
【００３７】
また、第２の通信部２０４は、制御部２０３の制御により、打刻種別ｓを示す情報と、承認打刻日時Ｔａを示す情報と、打刻結果Ｆｌａｇを示す情報と、メッセージＭｅｓを示す情報とを第１の通信部１０４に送信する。
【００３８】
＜ライセンス認証＞
続いて、情報管理装置２００におけるライセンス認証の処理について説明する。ライセンス記憶部２０６には、ライセンスＩＤ（ライセンス識別情報Ｌｉｄ）を示す情報とライセンスキー（Ｌｋｅｙ）を示す情報と、製造番号を示す情報ＩＭＥＩと、ＳＩＭカードの固有の番号を示す情報ＩＭＳＩとが関連付けられて記憶されている。
【００３９】
判定部２０７は、第２の通信部２０４により受け付けられたライセンスＩＤ（ライセンス識別情報Ｌｉｄ）を示す情報をキーとして、ライセンスＩＤ（ライセンス識別情報Ｌｉｄ）を示す情報に対応するライセンスキー（Ｌｋｅｙ）を示す情報と、製造番号を示す情報ＩＭＥＩと、ＳＩＭカードの固有の番号を示す情報ＩＭＳＩとをライセンス記憶部２０６から読み出す。
【００４０】
判定部２０７は、第２の通信部２０４により受け付けられたライセンスＩＤ（ライセンス識別情報Ｌｉｄ）を示す情報に対応するライセンスキー（Ｌｋｅｙ）を示す情報と、製造番号を示す情報ＩＭＥＩと、ＳＩＭカードの固有の番号を示す情報ＩＭＳＩという３つの情報と、ライセンス記憶部２０６から読み出したライセンスキー（Ｌｋｅｙ）を示す情報と、製造番号を示す情報ＩＭＥＩと、ＳＩＭカードの固有の番号を示す情報ＩＭＳＩという３つの情報をそれぞれ照合し、３つの情報とも同一であれば、ライセンス認証が成功したと判定し、判定結果を示す情報を制御部２０３に出力する。
【００４１】
制御部２０３は、ライセンス認証が成功したという判定結果を示す情報を判定部２０７から受け取ると、打刻処理アプリケーションソフトのプログラムを含む情報をライセンス記憶部２０６から読み出し、読み出した打刻処理アプリケーションソフトのプログラムを含む情報を第２の通信部２０４から情報携帯端末装置１００の第１の通信部１０４に送信する。
【００４２】
一方、判定部２０７は、上記の照合の結果、上記３つの情報のうちいずれか１つでも異なる場合、ライセンス認証が失敗したと判定し、判定結果を示す情報を制御部２０３に出力する。制御部２０３は、ライセンス認証が失敗したという判定結果を示す情報を受け取ると、ライセンス認証失敗メッセージＥＲｍを示す情報を第２の通信部２０４から情報携帯端末装置１００の第１の通信部１０４に出力する。
【００４３】
ライセンス記憶部２０６には、ライセンスＩＤ（ライセンス識別情報Ｌｉｄ）を示す情報と、ライセンスキー（Ｌｋｅｙ）を示す情報と、製造番号を示す情報ＩＭＥＩと、ＳＩＭカードの固有の番号を示す情報ＩＭＳＩという４つの情報が関連付けられて記憶されているので、ＳＩＭカードを他の情報携帯端末装置に装着して、不正に打刻処理アプリケーションソフトを使用することを防ぐことができる。これにより、従業員がＳＩＭカードを他の人に渡して、他人がその人の情報携帯端末装置にＳＩＭカードを装着して、打刻処理するといった他人による成りすまし行為を防止することができる。
【００４４】
図５は、第１の実施形態における情報管理システム１の処理の流れを示したシーケンス図である。まず、情報携帯端末装置１００の読取部１０２は、自装置の外部にあるＲＦＩＤタグ１０からＲＦＩＤタグ１０毎に異なる固有の情報であるタグ識別情報ＩＤｍを読み出す（Ｔ１０１）。次に、情報携帯端末装置１００の制御部１０３はスタッフ識別情報ＩＤｓを従業員情報記憶部１０１から読み出す（Ｔ１０２）。
【００４５】
次に、第１の通信部１０４は、ＲＦＩＤタグ１０毎に異なる固有の情報であるタグ識別情報ＩＤｍと、端末打刻日時Ｔｔと、スタッフ識別情報ＩＤｓと、ライセンスＩＤ（ライセンス識別情報Ｌｉｄ）を示す情報と、ライセンスキー（Ｌｋｅｙ）を示す情報と、製造番号を示す情報ＩＭＥＩと、ＳＩＭカードの固有の番号を示す情報ＩＭＳＩとを、情報管理装置２００の第２の通信部２０４に送信する（Ｔ１０３）。
【００４６】
次に、情報管理装置２００の判定部２０７は、ライセンス認証が成功したか否か判定する（Ｔ１０４）。ライセンス認証が失敗した場合（Ｔ１０４  ＮＯ）、情報管理装置２００の制御部２０３は、ライセンス認証失敗メッセージＥＲｍを示す情報を情報携帯端末装置１００に送信する（Ｔ１０５）。
【００４７】
次に、情報管理装置２００の属性情報読出部２０５は、ＲＦＩＤタグ１０毎に異なる固有の情報であるタグ識別情報ＩＤｍに対応する打刻種別ｓを示す情報および勤務先情報ｗを読み出す（Ｔ１０６）。
次に、情報管理装置２００の制御部２０３は、スタッフ識別情報ＩＤｓと、端末打刻日時Ｔｔと、打刻種別ｓを示す情報と、勤務先情報ｗとを関連付けて記憶させる（Ｔ１０７）。次に、情報管理装置２００の制御部２０３は、打刻識別情報ｓと、承認打刻日時Ｔａと、打刻結果Ｆｌａｇを示す情報と、メッセージＭｅｓを示す情報とを第２の通信部２０４から情報携帯端末装置１００の第１の通信部１０４に送信する（Ｔ１０８）。以上で、本シーケンスの処理を終了する。
【００４８】
以上、本実施形態の情報管理システム１は、属性情報記憶部２０１にＲＦＩＤタグ１０毎に異なる固有の情報であるタグ識別情報ＩＤｍと打刻種別ｓを示す情報とを関連付けて記憶でき、情報管理装置２００は、情報携帯端末装置１００から受信したＲＦＩＤタグ１０毎に異なる固有の情報であるタグ識別情報ＩＤｍを用いて打刻種別ｓを示す情報を属性情報記憶部２０１から読み出すことができるので、ＲＦＩＤタグに打刻種別ｓを示す情報を記憶させることなく、各従業員の出勤、退勤などの勤怠を管理することができる。
【００４９】
さらに、本実施形態の情報管理システム１は、属性情報記憶部２０１にＲＦＩＤタグ１０毎に異なる固有の情報であるタグ識別情報ＩＤｍと勤務先情報ｗとが関連付けられて記憶されており、情報管理装置２００は、情報携帯端末装置１００から受信したＲＦＩＤタグ１０毎に異なる固有の情報であるタグ識別情報ＩＤｍを用いて勤務先情報ｗを属性情報記憶部２０１から読み出すことができるので、ＲＦＩＤタグに勤務先情報ｗを記憶させることなく、各従業員が勤務した勤務先（例えば、会社１）を管理することができる。
【００５０】
また、従業員等が勤務先毎に設置されている各ＲＦＩＤタグを紛失しても、上記ＲＦＩＤタグを再発行する際に、ＲＦＩＤタグに打刻種別ｓを示す情報または勤務先情報ｗを記憶させる必要がないので、本実施形態の情報管理システム１は、ＲＦＩＤタグの再発行にかかる時間を短縮し、ＲＦＩＤタグの再発行にかかる人件費を削減することができる。
【００５１】
＜第２の実施形態＞
第１の実施形態における情報管理システム１は、情報携帯端末装置１００と情報管理装置２００を備えていた。第２の実施形態における情報管理システム２では、さらに認証装置３００を備え、認証装置３００は、情報携帯端末装置１００ｂの制御部１０３ｂが実行する打刻処理アプリケーションソフトの使用を許可するか否か判定する認証処理を行う。これにより、情報管理システム２は、不正な打刻処理アプリケーションソフトの使用を防止することができる。
【００５２】
図６は、第２の実施形態における情報管理システム２の機能ブロック図である。情報管理システム２は、ＲＦＩＤタグ１０と、情報携帯端末装置１００ｂと、情報管理装置２００ｂと、認証装置３００とを備える。なお、図１と共通する要素には同一の符号を付し、その具体的な説明を省略する。
図６の情報携帯端末装置１００ｂの構成は、図１の情報携帯端末装置１００の構成に対して、制御部１０３が制御部１０３ｂに変更され、第１の通信部１０４が第１の通信部１０４ｂに変更されたものになっている。
【００５３】
＜情報携帯端末装置１００ｂにおける打刻処理アプリケーションソフトのダウンロード処理＞
まず、はじめに情報携帯端末装置１００ｂが打刻処理アプリケーションソフトの一例である打刻用携帯アプリを認証装置３００からダウンロードし、情報携帯端末装置１００ｂ内にスタッフ識別情報ＩＤｓを保持する処理について説明する。
【００５４】
図７は、情報管理装置２００ｂを所有している勤怠管理システム事業者が従業員に送付するメールの内容の一例である。同図において、メールの本文には、「下記ＵＲＬにアクセスして打刻用携帯アプリをダウンロードしてください」という文章に続いて、ＵＲＬ（Ｕｎｉｆｏｒｍ  Ｒｅｓｏｕｒｃｅ  Ｌｏｃａｔｏｒ）と、ライセンスＩＤ（ライセンス識別情報Ｌｉｄ）とライセンスキー（Ｌｋｅｙ）が示されている。情報携帯端末装置１００ｂの操作者（本実施形態では一例として従業員）は、そのメールの指示に従って、情報携帯端末装置１００ｂに対し打刻用携帯アプリをダウンロードする操作を行う。
【００５５】
なお、本実施形態では、図７に示された情報はメールで情報携帯端末装置１００ｂの操作者に送付される例について説明したがこれに限らず、図７に示された内容が印字されている紙が、情報携帯端末装置１００ｂの操作者に配布されてもよい。
【００５６】
上記の場合において、情報携帯端末装置１００ｂは、入力部１０６が、ダウンロードページのＵＲＬの入力を受け付ける。制御部１０３ｂは、認証装置３００に対し、入力部１０６により受け付けられたＵＲＬのＷＥＢページを示す情報を、第１の通信部１０４ｂを介して要求する。第１の通信部１０４ｂは、制御部１０３ｂによる制御に基づき、ＷＥＢページのデータを要求する情報を認証装置３００の後述する第３の通信部３０２に送信する。
【００５７】
第１の通信部１０４ｂは、認証装置３００の後述する第３の通信部３０２からＷＥＢページのデータを受信する。制御部１０３ｂは、第１の通信部１０４ｂにより受信されたＷＥＢページのデータを用いて、ＷＥＢページを表示部１０５に表示させる。
【００５８】
第１の通信部１０４ｂがＷＥＢページのデータを受信し、制御部１０３ｂがＷＥＢページのデータの表示部１０５に表示させた後に、入力部１０６は、ライセンスＩＤ（ライセンス識別情報Ｌｉｄ）とライセンスキー（Ｌｋｅｙ）の入力を受け付ける。
従業員情報記憶部１０１には、自装置の製造番号を示す情報ＩＭＥＩと、ＳＩＭカードの固有の番号を示す情報ＩＭＳＩとが記憶されている。制御部１０３ｂは、従業員情報記憶部１０１から自装置の製造番号を示す情報ＩＭＥＩと、ＳＩＭカードの固有の番号を示す情報ＩＭＳＩとを読み出す。
【００５９】
制御部１０３ｂは、認証装置３００に対し、入力部１０６により受け付けられたライセンスＩＤ（ライセンス識別情報Ｌｉｄ）を示す情報とライセンスキー（Ｌｋｅｙ）を示す情報とを、従業員情報記憶部１０１から読み出された自装置の製造番号を示す情報ＩＭＥＩとＳＩＭカードの固有の番号を示す情報ＩＭＳＩとともに第１の通信部１０４ｂに出力し、第１の通信部１０４ｂを介して認証装置３００に送信するよう制御する。第１の通信部１０４ｂは、制御部１０３ｂによる制御に基づき、上記４つの情報を認証装置３００の後述する第３の通信部３０２に送信する。
【００６０】
第１の通信部１０４ｂは、認証装置３００の後述する第３の通信部３０２から打刻用携帯アプリのデータを受け取る。制御部１０３ｂは、打刻用携帯アプリのデータを用いて、打刻用携帯アプリを自装置にインストールする。
【００６１】
第１の通信部１０４ｂは、認証装置３００の後述する第３の通信部３０２からライセンス認証失敗メッセージＥＲｍを示す情報を受け取り、制御部１０３ｂの制御により、ライセンス認証失敗メッセージＥＲｍを示す情報を表示部１０５に出力する。
制御部１０３ｂは、第１の通信部１０４ｂにより受け取られたライセンス認証失敗メッセージＥＲｍを表示部１０５に表示させる。
【００６２】
制御部１０３ｂは、打刻用携帯アプリのインストール完了後、打刻用携帯アプリを起動する。そして、入力部１０６は、スタッフ識別情報ＩＤｓの入力を受け付ける。制御部１０３ｂは、入力部１０６により受け付けられたスタッフ識別情報ＩＤｓを第１の通信部１０４ｂに出力する。
【００６３】
第１の通信部１０４ｂは、スタッフ識別情報ＩＤｓを入力部１０６から受け取ると、ライセンスの認証要求を示す情報とともに、スタッフ識別情報ＩＤｓを、ライセンスＩＤ（ライセンス識別情報Ｌｉｄ）を示す情報とライセンスキー（Ｌｋｅｙ）を示す情報と、自装置の製造番号を示す情報ＩＭＥＩと、ＳＩＭカードの固有の番号を示す情報ＩＭＳＩとともに、認証装置３００の後述する第３の通信部３０２に送信する。
【００６４】
第１の通信部１０４ｂは、認証装置３００におけるライセンス認証が成功した場合、認証装置３００の後述する第３の通信部３０２からアプリケーションの認証が成功した旨の情報を受信する。第１の通信部１０４ｂにより認証が成功した旨の通知が受信された後に、制御部１０３ｂは、スタッフ識別情報ＩＤｓとライセンスＩＤ（ライセンス識別情報Ｌｉｄ）を示す情報とライセンスキー（Ｌｋｅｙ）を示す情報とを従業員情報記憶部１０１に記憶させる。
【００６５】
＜情報携帯端末装置１００ｂにおける勤怠管理運用時の処理＞
続いて、勤怠管理運用時における情報携帯端末装置１００ｂの処理について説明する。第１の実施形態と同様に、制御部１０３ｂは、読取部１０２に自装置の外部にあるＲＦＩＤタグ１０のＲＦＩＤタグ１０毎に異なる固有の情報であるタグ識別情報ＩＤｍを読み取らせる。また、制御部１０３ｂは、従業員情報記憶部１０１からスタッフ識別情報ＩＤｓとライセンスＩＤ（ライセンス識別情報Ｌｉｄ）を示す情報とライセンスキー（Ｌｋｅｙ）を示す情報とを読み出す。
【００６６】
そして、制御部１０３ｂは、読み取られたＲＦＩＤタグ１０毎に異なる固有の情報であるタグ識別情報ＩＤｍを、スタッフ識別情報ＩＤｓとライセンスＩＤ（ライセンス識別情報Ｌｉｄ）を示す情報とライセンスキー（Ｌｋｅｙ）を示す情報と端末打刻時刻Ｔｔを示す情報とともに、第１の通信部１０４ｂから認証装置３００の後述する第３の通信部３０２に出力する。
【００６７】
認証装置３００においてライセンス認証が失敗した場合、第１の通信部１０４ｂはライセンス認証失敗メッセージＥＲｍを示す情報を認証装置３００の後述する第３の通信部３０２から受信する。制御部１０３ｂは、第１の通信部１０４ｂにより受信されたライセンス認証失敗メッセージＥＲｍを示す情報を用いて、ライセンス認証失敗メッセージＥＲｍを表示部１０５に表示させる。
【００６８】
認証装置３００の制御部３０４がログをライセンス記憶部３０１に保存した場合、第１の通信部１０４ｂは、打刻結果を示す情報として認証装置３００の第３の通信部３０２から打刻種別ｓを示す情報と、承認打刻日時Ｔａを示す情報と、打刻結果Ｆｌａｇ（例えば、０で打刻失敗、１で打刻成功）を示す情報と、メッセージＭｅｓ（例えば、「本日は残業禁止」といった従業員に注意を喚起するメッセージ）を示す情報とを受け取る。
【００６９】
続いて、認証装置３００について説明する。認証装置３００は、ライセンス記憶部３０１と、第３の通信部３０２と、判定部３０３と、制御部３０４とを備える。
ライセンス記憶部３０１には、ライセンスＩＤ（ライセンス識別情報Ｌｉｄ）を示す情報とライセンスキー（Ｌｋｅｙ）を示す情報と、製造番号を示す情報ＩＭＥＩと、ＳＩＭカードの固有の番号を示す情報ＩＭＳＩとが関連付けられて記憶されている。また、ライセンス記憶部３０１には、打刻用携帯アプリのプログラムを含む情報と打刻用携帯アプリのダウンロードページのデータとが記憶されている。
【００７０】
＜認証装置３００における打刻処理アプリケーションソフトのダウンロード処理＞
まず、打刻用携帯アプリのダウンロード処理時の認証装置３００の処理について説明する。第３の通信部３０２は、外部との間で有線方式及び無線方式のうち少なくとも一方の方式によって情報の通信が可能となるように構成されている。第３の通信部３０２は、情報携帯端末装置１００ｂの第１の通信部１０４ｂからＷｅｂページのデータ要求を示す情報を受け付ける。
【００７１】
制御部３０４は、第３の通信部３０２により受け付けられたＷｅｂページのデータ要求を示す情報に基づいて、要求されたＷｅｂページのデータをライセンス記憶部３０１から読み出し、読み出したＷｅｂページのデータを第３の通信部３０２から情報携帯端末装置１００ｂの第１の通信部１０４ｂに送信するよう制御する。
【００７２】
第３の通信部３０２は、情報携帯端末装置１００ｂの第１の通信部１０４ｂからダウンロード許可要求を示す情報と、ライセンスＩＤ（ライセンス識別情報Ｌｉｄ）を示す情報とライセンスキー（Ｌｋｅｙ）を示す情報と、製造番号を示す情報ＩＭＥＩと、ＳＩＭカードの固有の番号を示す情報ＩＭＳＩとを受け付ける。制御部３０４は、第３の通信部３０２によりダウンロード許可要求を示す情報が受信されると、判定部３０３にライセンス認証を行うように制御する。
【００７３】
判定部３０３は、第３の通信部３０２により受け付けられたライセンスＩＤ（ライセンス識別情報Ｌｉｄ）を示す情報をキーとして、ライセンスＩＤ（ライセンス識別情報Ｌｉｄ）を示す情報に対応するライセンスキー（Ｌｋｅｙ）を示す情報と、製造番号を示す情報ＩＭＥＩと、ＳＩＭカードの固有の番号を示す情報ＩＭＳＩとを読み出す。
【００７４】
判定部３０３は、第３の通信部３０２により受け付けられたライセンスＩＤ（ライセンス識別情報Ｌｉｄ）を示す情報に対応するライセンスキー（Ｌｋｅｙ）を示す情報と、製造番号を示す情報ＩＭＥＩと、ＳＩＭカードの固有の番号を示す情報ＩＭＳＩという３つの情報と、ライセンス記憶部３０１から読み出したライセンスキー（Ｌｋｅｙ）を示す情報と、製造番号を示す情報ＩＭＥＩと、ＳＩＭカードの固有の番号を示す情報ＩＭＳＩという３つの情報をそれぞれ照合し、３つの情報とも同一であれば、認証が成功したと判定し、判定結果を示す情報を制御部３０４に出力する。
【００７５】
制御部３０４は、認証が成功したという判定結果を示す情報を判定部３０３から受け取ると、打刻用携帯アプリのプログラムを含む情報をライセンス記憶部３０１から読み出し、読み出した打刻用携帯アプリのプログラムを含む情報を第３の通信部３０２から情報携帯端末装置１００ｂの第１の通信部１０４ｂに送信する。
【００７６】
一方、判定部３０３は、上記３つの情報のうちいずれか１つでも異なる場合、認証が失敗したと判定し、判定結果を示す情報を制御部３０４に出力する。制御部３０４は、認証が失敗したという判定結果を示す情報を受け取ると、ライセンス認証失敗メッセージＥＲｍを示す情報を第３の通信部３０２から情報携帯端末装置１００ｂの第１の通信部１０４ｂに出力する。
【００７７】
ライセンス記憶部３０１には、ライセンスＩＤ（ライセンス識別情報Ｌｉｄ）を示す情報と、ライセンスキー（Ｌｋｅｙ）を示す情報と、製造番号を示す情報ＩＭＥＩと、ＳＩＭカードの固有の番号を示す情報ＩＭＳＩという４つの情報が関連付けられて記憶されているので、ＳＩＭカードを他の情報携帯端末装置に装着して、不正に打刻用携帯アプリを使用することを防ぐことができる。これにより、従業員がＳＩＭカードを他の人に渡して、他人がその人の情報携帯端末装置にＳＩＭカードを装着して、打刻処理するといった他人による成りすまし行為を防止することができる。
【００７８】
第３の通信部３０２は、情報携帯端末装置１００ｂの第１の通信部１０４ｂからアプリケーションの認証要求を示す情報とともに、スタッフ識別情報ＩＤｓと、ライセンスＩＤ（ライセンス識別情報Ｌｉｄ）を示す情報とライセンスキー（Ｌｋｅｙ）を示す情報と、製造番号を示す情報ＩＭＥＩと、ＳＩＭカードの固有の番号を示す情報ＩＭＳＩとを受け付ける。制御部３０４は、第３の通信部３０２によりアプリケーションの認証要求を示す情報が受信されると、判定部３０３にライセンス認証を行うように制御する。
【００７９】
判定部３０３がライセンス認証に成功した場合、認証結果を示す情報を制御部３０４に出力する。制御部３０４は、認証結果を示す情報からアプリケーションの認証が成功した旨の情報を第３の通信部３０２から情報携帯端末装置１００ｂの第１の通信部１０４ｂに出力する。
【００８０】
＜認証装置３００における勤怠管理運用時の処理＞
続いて、勤怠管理運用時における認証装置３００の処理について説明する。第３の通信部３０２は、情報携帯端末装置１００ｂの第１の通信部１０４ｂからＲＦＩＤタグ１０毎に異なる固有の情報であるタグ識別情報ＩＤｍと、端末打刻日時Ｔｔと、スタッフ識別情報ＩＤｓと、ライセンスＩＤ（ライセンス識別情報Ｌｉｄ）を示す情報と、ライセンスキー（Ｌｋｅｙ）を示す情報と、製造番号を示す情報ＩＭＥＩと、ＳＩＭカードの固有の番号を示す情報ＩＭＳＩとを含む打刻データを受け付ける。
【００８１】
制御部３０４は、第３の通信部３０２により打刻データが受け取られると、打刻データを用いて判定部３０３にライセンス認証を行うように制御する。具体的には、判定部３０３は、第３の通信部３０２により受け取られたライセンスＩＤ（ライセンス識別情報Ｌｉｄ）を示す情報をキーとして、ライセンスＩＤ（ライセンス識別情報Ｌｉｄ）を示す情報に対応するライセンスキー（Ｌｋｅｙ）を示す情報と、製造番号を示す情報ＩＭＥＩと、ＳＩＭカードの固有の番号を示す情報ＩＭＳＩとをライセンス記憶部３０１から読み出す。
【００８２】
判定部３０３は、第３の通信部３０２により受け付けられたライセンスＩＤ（ライセンス識別情報Ｌｉｄ）を示す情報に対応するライセンスキー（Ｌｋｅｙ）を示す情報と、製造番号を示す情報ＩＭＥＩと、ＳＩＭカードの固有の番号を示す情報ＩＭＳＩという３つの情報と、ライセンス記憶部３０１から読み出したライセンスキー（Ｌｋｅｙ）を示す情報と、製造番号を示す情報ＩＭＥＩと、ＳＩＭカードの固有の番号を示す情報ＩＭＳＩという３つの情報をそれぞれ照合し、３つの情報とも同一であれば、ライセンス認証が成功したと判定し、判定結果を示す情報を制御部３０４に出力する。
【００８３】
制御部３０４は、ライセンス認証が成功したという判定結果を示す情報を判定部３０３から受け取ると、ＲＦＩＤタグ１０毎に異なる固有の情報であるタグ識別情報ＩＤｍと、端末打刻日時Ｔｔを示す情報と、スタッフ識別情報ＩＤｓとを情報管理装置２００ｂの第２の通信部２０４ｂに送信する。
【００８４】
一方、判定部３０３は、上記の照合の結果、上記３つの情報のうちいずれか１つでも異なる場合、ライセンス認証が失敗したと判定し、判定結果を示す情報を制御部３０４に出力する。
制御部３０４は、ライセンス認証が失敗したという判定結果を示す情報を受け取ると、ライセンス認証失敗メッセージＥＲｍを示す情報を第３の通信部３０２から情報携帯端末装置１００ｂの第１の通信部１０４ｂに出力する。
【００８５】
第３の通信部３０２は、情報管理装置２００ｂの第２の通信部２０４ｂから打刻種別ｓを示す情報と、承認打刻日時Ｔａを示す情報と、打刻結果Ｆｌａｇ（例えば、０で打刻失敗、１で打刻成功）を示す情報と、メッセージＭｅｓ（例えば、「本日は残業禁止」といった従業員に注意を喚起するメッセージ）を示す情報とを受け取る。
【００８６】
制御部３０４は、第３の通信部３０２により受け取られた打刻種別ｓを示す情報と、承認打刻日時Ｔａを示す情報と、打刻結果Ｆｌａｇ（例えば、０で打刻失敗、１で打刻成功）を示す情報とを業務ログとしてライセンス記憶部３０１に記憶させる。
そして、制御部３０４は、打刻種別ｓを示す情報と、承認打刻日時Ｔａを示す情報と、打刻結果Ｆｌａｇ（例えば、０で打刻失敗、１で打刻成功）を示す情報と、メッセージＭｅｓ（例えば、「本日は残業禁止」といった従業員に注意を喚起するメッセージ）を示す情報とを第３の通信部３０２から情報携帯端末装置１００ｂの第１の通信部１０４ｂに送信するよう制御する。
【００８７】
＜情報管理装置２００ｂにおける勤怠管理運用時の処理＞
続いて、勤怠管理運用時における情報管理装置２００ｂの処理について説明する。図６の情報管理装置２００ｂの構成は、図１の情報管理装置２００の構成に対して、制御部２０３が制御部２０３ｂに変更され、第２の通信部２０４が第２の通信部２０４ｂに変更され、ライセンス記憶部２０６と判定部２０７とが取り除かれたものになっている。
【００８８】
第２の通信部２０４ｂは、図１の第２の通信部２０４と同様に、外部との間で有線方式及び無線方式のうち少なくとも一方の方式によって情報の通信が可能となるように構成されている。第２の通信部２０４ｂは、認証装置３００の第３の通信部３０２から送信されたＲＦＩＤタグ１０毎に異なる固有の情報であるタグ識別情報ＩＤｍと、スタッフ識別情報ＩＤｓと、端末打刻日時Ｔｔを示す情報を受信する。第２の通信部２０４ｂは、制御部２０３ｂの制御により、ＲＦＩＤタグ１０毎に異なる固有の情報であるタグ識別情報ＩＤｍを属性情報読出部２０５に出力する。
【００８９】
制御部２０３ｂは、打刻種別ｓを示す情報と、承認打刻日時Ｔａを示す情報と、打刻結果Ｆｌａｇ（例えば、０で打刻失敗、１で打刻成功）を示す情報と、メッセージＭｅｓ（例えば、「本日は残業禁止」といった従業員に注意を喚起するメッセージ）を示す情報とを第２の通信部２０４ｂから認証装置３００の第３の通信部３０２に出力するよう制御する。
【００９０】
図８は、第２の実施形態における打刻用携帯アプリのダウンロードとスタッフ識別情報ＩＤｓの登録の処理の流れを示したシーケンス図である。まず、情報携帯端末装置１００ｂの入力部１０６は、打刻用携帯アプリのダウンロードページのＵＲＬの入力を受け付ける（Ｔ２０１）。次に、制御部１０３ｂは、第１の通信部１０４ｂを介して、認証装置３００に対してＷＥＢページのデータを要求する（Ｔ２０２）。次に、認証装置３００の制御部３０４は、第３の通信部３０２を介してＷＥＢページのデータを情報携帯端末装置１００ｂに出力する（Ｔ２０３）。
【００９１】
次に、情報携帯端末装置１００ｂの入力部１０６は、ライセンスＩＤ（ライセンス識別情報Ｌｉｄ）を示す情報とライセンスキー（Ｌｋｅｙ）を示す情報の入力を受け付ける（Ｔ２０４）。次に、情報携帯端末装置１００ｂの制御部１０３ｂは、第１の通信部１０４ｂを介して、認証装置３００に対してダウンロード許可要求をする（Ｔ２０５）。
次に、認証装置３００の判定部３０３は、ライセンス認証が成功か否か判定する（Ｔ２０６）。ライセンス認証が成功した場合、認証装置３００の制御部３０４は、打刻用携帯アプリのプログラムを含む情報を第３の通信部３０２を介して情報携帯端末装置１００ｂに送信する（Ｔ２０７）。
【００９２】
一方、ライセンス認証が失敗した場合、認証装置３００の制御部３０４は、エラーメッセージＥＲｍを示す情報を第３の通信部３０２を介して情報携帯端末装置１００ｂに送信する（Ｔ２０８）。
次に、第１の通信部１０４ｂにより打刻用携帯アプリのプログラムを含む情報が受信された後に、情報携帯端末装置１００ｂの制御部１０３ｂは、打刻用携帯アプリをインストールし、インストールの完了後、打刻用携帯アプリを起動する（Ｔ２０９）。
【００９３】
次に、情報携帯端末装置１００ｂの制御部１０３ｂは、スタッフ識別情報ＩＤｓの入力を受け付ける（Ｔ２１０）。次に、情報携帯端末装置１００ｂの制御部１０３ｂは、第１の通信部１０４ｂを介して認証装置３００に対してライセンスの認証要求をする（Ｔ２１１）。
認証装置３００の判定部３０３は、ライセンス認証が成功したか否か判定する（Ｔ２１２）。認証が成功した場合、認証装置３００の制御部３０４は、ライセンス認証成功のメッセージを示す情報を情報携帯端末装置１００ｂに出力する（Ｔ２１３）。
次に、情報携帯端末装置１００ｂの制御部１０３ｂは、スタッフ識別情報ＩＤｓを従業員情報記憶部１０１に記憶させる（Ｔ２１４）。以上で、本シーケンスの処理を終了する。
【００９４】
以上、情報携帯端末装置１００ｂは、認証装置３００におけるライセンス認証が成功した場合、認証装置３００から打刻用携帯アプリをダウンロードして、打刻用携帯アプリを自装置にインストールすることができる。また、情報携帯端末装置１００ｂは、スタッフ識別情報ＩＤｓを従業員情報記憶部１０１に記憶させることにより、次回から認証装置３００に打刻データを送信する毎に、自装置の外部からスタッフ識別情報ＩＤｓの入力を受けることなく、従業員情報記憶部１０１からスタッフ識別情報ＩＤｓを読み出して、読み出したスタッフ識別情報ＩＤｓを認証装置３００に出力することができる。これにより、情報携帯端末装置１００ｂの操作者がスタッフ識別情報ＩＤｓの入力をする手間と時間を省くことができる。
【００９５】
図９は、第２の実施形態における勤怠管理運用時の処理の流れを示したシーケンス図である。まず、情報携帯端末装置１００ｂの読取部１０２は、ＲＦＩＤタグ１０毎に異なる固有の情報であるタグ識別情報ＩＤｍを読み取る（Ｔ３０１）。次に、情報携帯端末装置１００ｂの制御部１０３ｂは、スタッフ識別情報ＩＤｓを従業員情報記憶部１０１から読み出す（Ｔ３０２）。
【００９６】
次に、情報携帯端末装置１００ｂの制御部１０３ｂは、第１の通信部１０４ｂを介して認証装置３００に打刻データを送信する（Ｔ３０３）。次に、認証装置３００は、ライセンス認証が成功したか否か判定する（Ｔ３０４）。ライセンス認証が失敗した場合（Ｔ３０４  ＮＯ）、認証装置３００の制御部３０４は、ライセンス認証失敗メッセージＥＲｍを示す情報を情報携帯端末装置１００ｂに送信する（Ｔ３０５）。
【００９７】
一方、ライセンス認証が成功した場合（Ｔ３０４  ＹＥＳ）、認証装置３００の制御部３０４は、打刻データを情報管理装置２００ｂに送信する（Ｔ３０６）。次に、情報管理装置２００ｂの制御部２０３ｂは、ＲＦＩＤタグ１０毎に異なる固有の情報であるタグ識別情報ＩＤｍをキーとして、打刻種別ｓを示す情報と勤務先情報ｗとを属性情報記憶部２０１から読み出す（Ｔ３０７）。
【００９８】
次に、情報管理装置２００ｂの制御部２０３ｂは、端末打刻日時Ｔｔを示す情報と、スタッフ識別情報ＩＤｓと、打刻種別ｓを示す情報と、勤務先情報ｗとを関連付けて管理用記憶部２０２に記憶させる（Ｔ３０８）。
次に、情報管理装置２００ｂの制御部２０３ｂは、打刻結果を示す情報を第２の通信部２０４ｂを介して認証装置３００に送信する（Ｔ３０９）。次に、認証装置３００の制御部３０４は、業務ログをライセンス記憶部３０１に記録する（Ｔ３１０）。次に、認証装置３００の制御部３０４は、第３の通信部３０２により受け取った打刻結果を示す情報を、第３の通信部３０２を介して情報携帯端末装置１００ｂに送信する（Ｔ３１１）。以上で、本シーケンスの処理を終了する。
【００９９】
以上、本実施形態の情報管理システム２は、第１の実施形態の情報管理システム１の処理に加えて、認証装置３００で、情報携帯端末装置１００ｂが打刻処理アプリケーションソフトをダウンロードする時および情報携帯端末装置１００ｂが打刻データを、認証装置３００を経由して情報管理装置２００ｂに送信する時に、ライセンス認証を行う。これにより、情報管理システム２は、不正な打刻処理アプリケーションソフトの使用を防止することができる。
【０１００】
また、本実施形態の情報管理システム２は、第１の実施形態の情報管理システム１と同様に、属性情報記憶部２０１にＲＦＩＤタグ１０毎に異なる固有の情報であるタグ識別情報ＩＤｍと打刻種別ｓを示す情報とを関連付けて記憶でき、情報管理装置２００ｂは、情報携帯端末装置１００ｂから認証装置３００を経由して受信したＲＦＩＤタグ１０毎に異なる固有の情報であるタグ識別情報ＩＤｍを用いて打刻種別ｓを示す情報を属性情報記憶部２０１から読み出すことができるので、ＲＦＩＤタグに打刻種別ｓを示す情報を記憶させることなく、各従業員の出勤、退勤などの勤怠を管理することができる。
【０１０１】
さらに、本実施形態の情報管理システム２は、第１の実施形態の情報管理システム１と同様に、属性情報記憶部２０１にＲＦＩＤタグ１０毎に異なる固有の情報であるタグ識別情報ＩＤｍと勤務先情報ｗとが関連付けられて記憶されており、情報管理装置２００ｂは、情報携帯端末装置１００ｂから認証装置３００を経由して受信したＲＦＩＤタグ１０毎に異なる固有の情報であるタグ識別情報ＩＤｍを用いて勤務先情報ｗを属性情報記憶部２０１から読み出すことができるので、ＲＦＩＤタグに勤務先情報ｗを記憶させることなく、各従業員が勤務した勤務先（例えば、会社１）を管理することができる。
【０１０２】
また、従業者等が勤務先毎に設置されている各ＲＦＩＤタグを紛失しても、上記ＲＦＩＤタグを再発行する際に、ＲＦＩＤタグに打刻種別ｓを示す情報または勤務先情報ｗを記憶させる必要がないので、本実施形態の情報管理システム２は、ＲＦＩＤタグの再発行にかかる時間を短縮し、ＲＦＩＤタグの再発行にかかる人件費を削減することができる。
【０１０３】
なお、第１および第２の実施形態では、判定部（２０７、３０３）は、ライセンス認証を行う際に、ライセンスキー（Ｌｋｅｙ）を示す情報と、製造番号を示す情報ＩＭＥＩと、ＳＩＭカードの固有の番号を示す情報ＩＭＳＩの３つの情報が全て同一か否かを判定したが、第１の通信部（１０４、１０４ｂ）から送信されたライセンスキー（Ｌｋｅｙ）を示す情報と、ライセンス記憶部（２０６、３０１）に記憶されているライセンスＩＤ（ライセンス識別情報Ｌｉｄ）に対応するライセンスキー（Ｌｋｅｙ）を示す情報とを照合して同一か否か判定してもよい。
【０１０４】
なお、本実施形態では、情報管理システムの１実施形態として、勤怠管理システムについて説明したが、これに限ったものではない。ＲＦＩＤタグ１０毎に異なる固有の情報であるタグ識別情報ＩＤｍを用いて、そのＲＦＩＤタグ１０毎に異なる固有の情報であるタグ識別情報ＩＤｍ情報を情報携帯端末装置が読み出し、読み出されたＲＦＩＤタグ１０毎に異なる固有の情報であるタグ識別情報ＩＤｍを情報管理装置に送信し、情報管理装置でそのＲＦＩＤタグ１０毎に異なる固有の情報であるタグ識別情報ＩＤｍに関連付けられた情報を読み出すことにより、情報を管理するシステムであればよい。
【０１０５】
具体的には、例えば、学校や塾などの出席管理に用いることができる。その場合、第１の実施形態において、情報管理装置２００の属性情報記憶部２０１には、タグ識別情報と打刻種別（例えば、登校、下校）を示す情報とクラス名（例えば、１年１組）を示す情報とが関連付けられて記憶されている。学校の生徒が登下校時に、生徒により保有された情報携帯端末装置１００の読取部１０２が学校に設置された登校用または下校用ＲＦＩＤタグからタグ識別情報を読み出し、情報携帯端末装置１００の制御部１０３は読み出されたタグ識別情報と生徒の識別情報と打刻日時を示す情報とを情報管理装置２００に送信する。
【０１０６】
情報管理装置２００は、受信したタグ識別情報に対応する打刻種別（例えば、登校、下校）を示す情報を属性情報記憶部２０１から読み出し、生徒の識別情報と打刻種別を示す情報と打刻日時を示す情報とを管理用記憶部２０２に記憶させる。また、情報管理装置２００は、タグ識別情報に対応するクラス名（例えば、１年１組）を示す情報を読み出してもよい。
【０１０７】
これにより、情報管理システム１は、生徒の登下校日時を管理することができる。登校用または下校用ＲＦＩＤタグが紛失しても、上記ＲＦＩＤタグを再発行する際に、ＲＦＩＤタグに、打刻種別（例えば、登校）を示す情報、またはクラス名（例えば、１年１組）を示す情報を記憶させる必要がないので、ＲＦＩＤタグの再発行にかかる時間を短縮し、ＲＦＩＤタグの再発行にかかる人件費を無くすことができる。
【０１０８】
また、本発明の実施形態における情報管理システム（１、２）は、学生により選択された講義を管理するようにしてもよい。具体的には、例えば、第１の実施形態において、情報管理装置２００の属性情報記憶部２０１には、タグ識別情報と講義名を示す情報とが関連付けられて記憶されている。
学生が講義の選択時に、学生により保有された情報携帯端末装置１００の読取部１０２が学校に設置された講義選択用のＲＦＩＤタグからタグ識別情報を読み出し、情報携帯端末装置１００の第１の通信部１０４は読み出されたタグ識別情報と学生の識別情報とを情報管理装置２００に送信する。
【０１０９】
情報管理装置２００は、受信したタグ識別情報に対応する講義名を示す情報を属性情報記憶部２０１から読み出し、学生の識別情報と講義名を示す情報とを管理用記憶部２０２に記憶させる。
【０１１０】
これにより、情報管理システム１は、学生が選択した講義名を管理することができる。ＲＦＩＤタグが紛失しても、上記ＲＦＩＤタグを再発行する際に、ＲＦＩＤタグに、講義名を示す情報を記憶させる必要がないので、ＲＦＩＤタグの再発行にかかる時間を短縮し、ＲＦＩＤタグの再発行にかかる人件費を無くすことができる。
【０１１１】
また、本発明の実施形態における情報管理システム（１、２）は、警備員の巡回を管理するのに用いてもよい。具体的には、例えば、第１の実施形態において、情報管理装置２００の属性情報記憶部２０１には、タグ識別情報と場所（例えば、３階の３０５室）を示す情報とが関連付けられて記憶されている。警備員が建物内を巡回する際に、警備員により保有された情報携帯端末装置１００の読取部１０２が建物内の各部屋に設置されたタグ識別情報を読み出し、情報携帯端末装置１００の第１の通信部１０４は読み出されたタグ識別情報と警備員の識別情報と打刻日時を示す情報とを情報管理装置２００に送信する。
【０１１２】
情報管理装置２００は、受信したタグ識別情報に対応する場所（例えば、３階の３０５室）を示す情報を属性情報記憶部２０１から読み出し、警備員の識別情報と場所を示す情報と打刻日時を示す情報とを管理用記憶部２０２に記憶させる。
【０１１３】
これにより、情報管理システム１は、管理用記憶部２０２に警備員の識別情報と場所を示す情報と打刻日時を示す情報とを管理用記憶部２０２に記憶させることができるので、警備員が巡回した日時と場所とを管理することができる。また、各ＲＦＩＤタグが紛失しても、上記ＲＦＩＤタグを再発行する際に、ＲＦＩＤタグに場所（例えば、３階の３０５室）を示す情報を記憶させる必要がないので、ＲＦＩＤタグの再発行にかかる時間を短縮し、ＲＦＩＤタグの再発行にかかる人件費を無くすことができる。
【０１１４】
また、本発明の実施形態における情報管理システム（１、２）は、備品を管理するのに用いてもよく、特に、非常用の備品を管理するのによい。具体的には、例えば、第１の実施形態において、情報管理装置２００の属性情報記憶部２０１には、タグ識別情報と備品（例えば、懐中電灯）を示す情報とが関連付けられて記憶されている。情報携帯端末装置１００の操作者が現在保有する備品をチェックする際に、操作者により保有された情報携帯端末装置１００の読取部１０２が備品（例えば、懐中電灯）に付けられたタグ識別情報を読み出し、情報携帯端末装置１００の第１の通信部１０４は読み出されたタグ識別情報と操作者の識別情報と読み取り日時を示す情報とを情報管理装置２００に送信する。
【０１１５】
情報管理装置２００は、受信したタグ識別情報に対応する備品（例えば、懐中電灯）を示す情報を属性情報記憶部２０１から読み出し、操作者の識別情報と備品を示す情報と読み取り日時を示す情報とを管理用記憶部２０２に記憶させる。
【０１１６】
これにより、情報管理システム１は、管理用記憶部２０２に操作者の識別情報と備品を示す情報と読み取り日時を示す情報とを管理用記憶部２０２に記憶させることができるので、誰がいつ所定の備品があることをチェックしたかということを管理することができる。また、各ＲＦＩＤタグが紛失しても、上記ＲＦＩＤタグを再発行する際に、ＲＦＩＤタグに備品（例えば、懐中電灯）を示す情報を記憶させる必要がないので、ＲＦＩＤタグの再発行にかかる時間を短縮し、ＲＦＩＤタグの再発行にかかる人件費を無くすことができる。
【０１１７】
また、本実施形態の情報管理システムでは、ＲＦＩＤタグを多く設置して情報を管理するが、ＲＦＩＤタグはリーダライタより安価なため、リーダライタを多く設置して情報を管理するよりも、当該情報管理システムの初期導入コストを安くすることができる。
【０１１８】
このように、第１および第２の実施形態の属性情報記憶部２０１には、タグ識別情報とＲＦＩＤタグの属性を示す属性情報（例えば、打刻種別を示す情報、場所を示す情報、備品を示す情報）とが関係付けられて記憶されていればよい。
【０１１９】
以上、本発明の実施形態について図面を参照して詳述したが、具体的な構成はこの実施形態に限られるものではなく、この発明の要旨を逸脱しない範囲の設計等も含まれる。
【符号の説明】
【０１２０】
１、２  情報管理システム
１０  ＲＦＩＤタグ
１００、１００ｂ  情報携帯端末装置
１０１  従業員情報記憶部
１０２  読取部
１０３、１０３ｂ  制御部
１０４、１０４ｂ  第１の通信部
１０５  表示部
１０６  入力部
２００、２００ｂ  情報管理装置
２０１  属性情報記憶部
２０２  管理用記憶部
２０３、２０３ｂ  制御部
２０４、２０４ｂ  第２の通信部
２０５  属性情報読出部
２０６  ３０１  ライセンス記憶部
２０７  ３０３  判定部
３００  認証装置
３０２  第３の通信部
３０４  制御部
【図１】
0005852789.tif 000002
【図２】
0005852789.tif 000003
【図３】
0005852789.tif 000004
【図４】
0005852789.tif 000005
【図５】
0005852789.tif 000006
【図６】
0005852789.tif 000007
【図７】
0005852789.tif 000008
【図８】
0005852789.tif 000009
【図９】
0005852789.tif 000010